(57)【要約】  利用者からの通知である利用者通知を、電話回線を介して受理することと、受理した前記利用者通知を、前記利用者に係るテレビジョンシステムのアドレスを特定するために用いることと、前記テレビジョンシステムによって受理される応答通知を放送することと、を備え、前記利用者通知は、信号化された前記利用者の情報（４３６）を含み、前記応答通知は、前記アドレスを含むことを特徴とするテレビジョンシステムにサービスを提供するサービス提供方法。【選択図】図１４
2009521159.tif 000002
【特許請求の範囲】
【請求項１】
利用者からの通知である利用者通知を、電話回線を介して受理することと、
受理した前記利用者通知を、前記利用者に係るテレビジョンシステムのアドレスを特定するために用いることと、
前記テレビジョンシステムによって受理される応答通知を放送することと、
を備え、
前記利用者通知は、信号化された、利用者の情報である利用者情報を含み、
前記応答通知は、前記アドレスを含むことを特徴とするテレビジョンシステムにサービスを提供するサービス提供方法。
【請求項２】
前記利用者通知は、テレビサービスの注文を含むことを特徴とする請求項１記載のサービス提供方法。
【請求項３】
前記利用者通知は、信号化された前記アドレスを含むことを特徴とする請求項１または２に記載のサービス提供方法。
【請求項４】
前記アドレスは、仮アドレスであることを特徴とする請求項３記載のサービス提供方法。
【請求項５】
前記仮アドレスは、１回だけ使用されるアドレスであることを特徴とする請求項４記載のサービス提供方法。
【請求項６】
前記仮アドレスは、擬似ランダム発生装置を用いて前記テレビジョンシステムによって作成されることを特徴とする請求項４または５に記載のサービス提供方法。
【請求項７】
前記利用者通知は、サービスの注文を含み、
前記応答通知は、利用者に前記サービスを受ける資格を与える受給資格の通知を含むことを特徴とする請求項１〜６のいずれか１つに記載のサービス提供方法。
【請求項８】
信号化された前記利用者情報は、１または２以上の短い文字列、好ましくは言語の単語を含むことを特徴とする請求項１〜７のいずれか１つに記載のサービス提供方法。
【請求項９】
前記利用者通知は、テキストメッセージであることを特徴とする請求項１〜８のいずれか１つに記載のサービス提供方法。
【請求項１０】
複数の利用者の電話番号を記憶することと、
前記利用者通知の発信元である電話番号により利用者を特定することと、
を備えたことを特徴とする請求項１〜９のいずれか１つに記載のサービス提供方法。
【請求項１１】
前記利用者の電話番号と関連付けて、前記利用者のテレビジョンシステムに係るテレビジョンシステム・アドレスを記憶することを備えたことを特徴とする請求項１０記載のサービス提供方法。
【請求項１２】
前記利用者の電話番号と関連付けて、複数のテレビジョンシステムに係るアドレスを記憶することを備え、
前記アドレスのそれぞれには、連結数が割り当てられることを特徴とする請求項１１記載のサービス提供方法。
【請求項１３】
利用者からの通知である利用者通知を、電話回線を介して受理する手段と、
受理した前記利用者通知を、前記利用者に係るテレビジョンシステムのアドレスを特定するために用いる手段と、
前記テレビジョンシステムによって受理される応答通知を放送する手段と、
を備え、
前記利用者通知は、信号化された利用者の情報を含み、
前記応答通知は、前記アドレスを含むことを特徴とするテレビサービスを提供するサービス提供システム。
【請求項１４】
利用者からの通知である利用者通知を、電話回線を介してサービス提供者に送付することと、
応答通知を、テレビ放送チャンネルを介して前記利用者に係るテレビジョンシステムで受理することと、
を備え、
前記利用者通知は、
信号化された、利用者の情報である利用者情報を含み、
前記利用者に係る前記テレビジョンシステムのアドレスを特定することを可能にすることを特徴とするテレビサービスを評価するサービス評価方法。
【請求項１５】
１または２以上の利用者の選択を受理することと、
前記選択に応じて、信号化された利用者情報を前記サービス提供者に提供することと、
を備えたことを特徴とする請求項１４記載のサービス評価方法。
【請求項１６】
複数の登録された利用者の中から１人の利用者を前記テレビジョンシステムで特定することと、
前記１人の利用者に係るコードを前記利用者情報に含めることと、
を備えたことを特徴とする請求項１４または１５に記載のサービス評価方法。
【請求項１７】
テレビ受信機で仮アドレスを作成することと、
前記仮アドレスを記憶することと、
前記仮アドレスをサービス提供者に送付することと、
テレビ放送信号を介してサービス情報を受理することと、
を備えたことを特徴とする双方向テレビサービスを評価するサービス評価方法。
【請求項１８】
作成された前記仮アドレスは、１回だけ使用されるアドレスであることを特徴とする請求項１７記載のサービス評価方法。
【発明の詳細な説明】
【技術分野】
【０００１】
本発明は、利用者との双方向機能を有するテレビ受信機に関する。
【背景技術】
【０００２】
多くのテレビ受信機は、ハードウェアからなる応答経路機能を有していない。このため、特に、利用者のハードウェアがサービス提供者に事前登録されていない場合に、または、かかるサービスを受けるために料金支払いが必要となる場合に、双方向サービスへのアクセスが制限されることがある。これら問題を克服するため、応答経路を確保するためにテキストメッセージが用いられてきた。しかし、この手法では、利用者は長いコードや数字を入力しなければならない場合があることから、この手法は煩雑で誤りを誘発するおそれがあるものとなっている。特定の機器に係るアドレスをテキストメッセージの一部に含める必要があることから、特に、サービスオペレータが当該アドレスを認知できない場合に問題が生じる。機器のアドレスは通常８桁の十進数字であり長いため、注文を行う都度、携帯電話のテキストメッセージにこのアドレスを入力することは、利用者にとって不便である。
【発明を実施するための最良の形態】
【０００３】
（発明の概要）
本発明の一態様によれば、次に説明する双方向テレビサービスを提供する方法が提供される。この方法は、電話回線を介して、利用者からの通知（以下、「利用者通知」という）を受理することを備えている。利用者通知には、信号化された（translated version of）利用者の情報（以下、「利用者情報」という）が含まれている。また、この方法は、受理した利用者通知を、利用者に係るテレビジョンシステムのアドレス（テレビジョンシステム・アドレス）を特定するために用いることを備えている。また、この方法は、テレビジョンシステムによって受理される応答通知を放送することを備えている。応答通知には、テレビジョンシステム・アドレスが含まれている。
【０００４】
好ましくは、利用者通知はテキストメッセージであり、信号化された利用者情報は、１または２以上の短い文字列、好ましくは言語の単語を有している。このようにして、利用者は長い複雑な文字列を入力する必要がなくなるとともに、サービス提供者は、利用者の要求を確実に理解でき、これに従って適切に対応することができる。
【０００５】
利用者通知には、テレビサービスの注文を含めることができる。また、利用者通知には、信号化されたテレビジョンシステム・アドレスを含めることができる。テレビジョンシステム・アドレスは、仮アドレス（一時的に用いられるアドレス）であってよい。仮アドレスは、１回だけ使用されるアドレスであってよい。仮アドレスは、擬似ランダム発生装置を用いてテレビジョンシステムによって作成され得る。
【０００６】
利用者通知には、サービスの注文を含めることができる。応答通知には、利用者に当該サービスを受ける資格を与える受給資格の通知を含めることができる。
【０００７】
本実施形態に係るサービス提供方法は、利用者の電話番号を記憶することと、利用者通知の発信元である電話番号により利用者を特定することと、をさらに含んでよい。また、利用者の電話番号と関連付けて、利用者のテレビジョンシステムに係るテレビジョンシステム・アドレスが記憶されてもよい。また、利用者の電話番号と関連付けて、複数のテレビジョンシステムに係るアドレスが記憶されてもよい。この場合、各テレビジョンシステム・アドレスには、連結数（coupling code）が割り当てられる。
【０００８】
本発明の他の一態様によれば、次に説明するテレビサービスを提供するシステムが提供される。このシステムは、電話回線を介して、利用者通知を受理する手段を備えている。利用者通知には、信号化された利用者情報が含まれている。また、このシステムは、受理した利用者通知を、利用者に係るテレビジョンシステムのアドレスを特定するために用いる手段を備えている。また、このシステムは、テレビジョンシステムによって受理される応答通知を放送する手段を備えている。応答通知には、テレビジョンシステム・アドレスが含まれている。
【０００９】
本発明のさらに別の一態様によれば、次に説明するテレビサービスを評価する方法が提供される。この方法は、電話回線を介して、利用者通知をサービス提供者に送付することを備えている。利用者通知は、信号化された利用者情報を含み、利用者に係るテレビジョンシステムのアドレスを特定することを可能にする。また、この方法は、応答通知を、テレビ放送チャンネルを介して利用者のテレビジョンシステムで受理することを備えている。
【００１０】
本実施形態に係るサービス評価方法は、さらに、１または２以上の利用者の選択を受理することと、利用者の選択に応じて、信号化された利用者情報をサービス提供者に提供することと、を含んでよい。
【００１１】
本実施形態に係るサービス評価方法は、さらに、複数の登録された利用者の中から１人の利用者をテレビジョンシステムで特定することと、当該１人の利用者に係るコードを利用者情報に含めることと、を含んでよい。
【図面の簡単な説明】
【００１２】
【図１】サービスオペレータ、放送局、電話通信網、及びテレビ受信機を備えたシステムの概略のブロック図である。
【図２】テレビ放送網を介してサービスオペレータからデータを受理する構成を有するテレビ受信機のブロック図である。
【図３】図２のシステムで用いられるリモコン端末の平面図である。
【図４】デジタルテレビ受信機の機能のブロック図である。
【図５】図４のテレビ受信機において、メモリが機能ごとにどのように割り当てられるかを示している。
【図６】図４のテレビ受信機において、不揮発性メモリが機能ごとにどのように割り当てられるかを示している。
【図７】テレビ番組を全画面で表示している時のテレビ画面を表している。
【図８】サービスガイドを表示している時のテレビ画面を表している。この画面で、利用者は商品やサービスを選択し、注文することができる。
【図９】テレビ受信機を識別するために携帯電話番号が用いられる場合の注文過程を表した流れ図である。
【図１０】注文過程を構成する、利用者、テレビ受信機、及びサービスオペレータの間の情報交換を示す模式図である（ページの下に向かうにつれて時間が進行する）。ここで、サービスオペレータがテレビ受信機を識別するために、携帯電話番号が用いられている。
【図１１】商品または申込みのメニューを表示している時のテレビ画面を表している。この画面で、利用者は商品やサービスを注文することができる。
【図１２】商品またはサービスを注文するのに用いる携帯電話を特定するため、利用者に入力を促す表示がなされている時のテレビ画面を表している。
【図１３】利用者に対し、商品またはサービスを注文するのに用いる新しい携帯電話の番号を登録するよう要求する表示がなされている時のテレビ画面を表している。
【図１４】利用者に対し、サービスオペレータへの注文コードを含むテキストメッセージを書くよう要求する表示がなされている時のテレビ画面を表している。
【図１５】テレビ受信機に受給資格が送付されるようにするため、仮アドレスがサービスオペレータに伝送される構成を有する注文過程を表した流れ図である。
【図１６】注文過程を構成する、利用者、テレビ受信機、及びサービスオペレータの間の情報交換を示す模式図である（ページの下に向かうにつれて時間が進行する）。ここで、テレビ受信機に受給資格が送付されるようにするため、仮アドレスがサービスオペレータに伝送される。
【図１７】利用者に対し、解読のため、注文コードを含む画像の写真を携帯電話で撮るよう、また、この写真をサービスオペレータに送付するよう要求する表示がなされている時のテレビ画面を表している。
【００１３】
（図面の詳細な説明）
図１は、双方向サービスオペレータ１００から放送局１０１を介して、サービス及びコンテンツデータを受理するよう操作し得るテレビ受信機１０９、及び多重放送局１０６を表している。テレビ受信機１０９には、利用者に対し、例えば携帯電話のショートメッセージサービス（ＳＭＳ）により提供されるテキストメッセージを携帯電話端末１１１上に作成し、このテキストメッセージを、電話網１０８を介してサービスオペレータ１００に伝送するよう指示する表示がなされている。
【００１４】
サービスオペレータ１００は、双方向テレビ番組ガイド（ＩＰＧ）、電子ゲーム、ニュース、天気、賭け事、双方向雑談等の、様々な双方向サービス及び商品を提案することができる。サービスオペレータは、入力されたＳＭＳテキストメッセージを受理して解読する注文解読機１３４、並びに、サービスコンテンツ及び他のサービス関連情報を集計しサービス放送局１０１に伝送するデータセンター１３２を有している。また、サービスオペレータは、データサービス放送局１０１に、資格を有する者のみがアクセスできる通知（資格管理通知：ＥＭＭ：entitlement management message）を伝送する。この資格管理通知は、個々のテレビ受信機１０９、または個々のテレビ受信機１０９の群に送られる。これにより、個々のサービスまたはサービス群への利用者のアクセスが許可されたり、許可されなかったりする。各資格管理通知は、短い通知である。これにより、１または２以上のアドレスを有するテレビ受信機は、特定のサービスまたはコンテンツ商品を、特定の方法で表示することが可能となる（例えば、１回限り、２４時間、または２００５年１２月３１日まで）。
【００１５】
双方向サービスオペレータ１００には、多くの宛先電話番号が割り当てられる。これら番号に伝送されたＳＭＳテキストメッセージは、ＳＭＳゲートウェイ１３８によって受理され、即時にサービスオペレータ１００に伝送される。ＳＭＳゲートウェイは、受理した各ＳＭＳテキストメッセージに係る、当該テキストメッセージ、仕向先ＳＭＳ電話番号（line identity）、及び発信元携帯電話１１１の電話番号を、サービスオペレータの注文解読機１３４に伝送する。伝送には、発信元電話番号表示（ＣＬＩ：caller line identification：caller identity）が用いられる。ＳＭＳテキストメッセージは、ＳＭＳゲートウェイ１３８によって、料金代理徴収（premium rate）の携帯電話番号を用いて受理され得る。利用者の携帯電話のオペレータは、利用者から料金を徴収し、集計した納付金を双方向サービスオペレータ１００に支払う。この場合、ＳＭＳゲートウェイは、各ＳＭＳテキストメッセージに係る納付情報をサービスオペレータのデータセンター１３２に伝送する。
【００１６】
注文解読機１３４は、注文情報を抽出するため、後述する過程により、テキストメッセージ、回線、及び発信元電話番号を解読する。これら情報は、即時にサービスオペレータ・データセンター１３２に伝送される。注文解読機は、好ましくは、ＳＭＳゲートウェイ及びサービスオペレータ・データセンターと交信できるように改造された、故障冗長性を有するパーソナルコンピュータである。利用者は、個々のテレビ受信機に、携帯電話を事前登録するか「連結（couple）」する。１つの携帯電話は、最大１５台の異なるテレビ受信機と連結することができる。携帯電話の各連結に係る識別及びテレビ受信機アドレス（後述）は、データ表として注文解読機１３４に記憶される。具体例を次の表に示す。
【表１】
2009521159.tif 000003
連結欄Ｃは、特定の携帯電話番号Ｔについて、テレビ受信機アドレスＡとの関連付けに係る計数器の役割を果たす。上記の例では、携帯電話番号（０７７６７  ６２３２９３）は、１つのテレビ受信機と連結している。また、携帯電話番号（０７２７  ８２８１４２）は、２つのテレビ受信機と連結している。また、携帯電話番号（０７７７  ２３４５２０）は、３つのテレビ受信機と連結している。注文解読機は、単語検索表（word look up table）のコピーも有している（後述する図６の４３０を参照）。
【００１７】
データサービス放送局は、サービスオペレータ１００からの入力データをデータカルーセル１３６に入力し、これらを予め多重化して、多重放送局１０６に伝送する。これにより、入力データは、テレビやラジオのチャンネル、双方向データサービス等の他のサービスと関連付けられる。データは、好ましくは、いわゆるＤＳＭ−ＣＣ（Digital Storage Media Command and Control）オブジェクトカルーセル１３６を用いて、１または２以上のモジュールとして伝送される。ＤＳＭ−ＣＣカルーセルは、放送局からテレビ音声映像サービスデータとともに伝送されたデータ流である。ここで、各モジュールは、テレビ受信機によってダウンロード可能な１または２以上のデータパケットの実行コード及び／またはデータ構成要素を有する。
【００１８】
図２は、適切な放送施設１１０を介して、デジタル映像放送（ＤＶＢ）、すなわち、公共衛星デジタル映像放送（ＤＶＢ−Ｓ）、並びに／またはケーブルデジタル映像放送（ＤＶＢ−Ｃ）及び／若しくは地上波デジタル映像放送（ＤＶＢ−Ｔ）の方式を用いて、データ流がテレビ受信機１０９にどのように放送されるかを表している。この場合、ＳＭＳテキストメッセージの文章を用いて、サービスオペレータ１００と再度情報交換がなされる。テレビ受信機は、セットトップボックス（ＳＴＢ）または個人用映像録画機（ＰＶＲ）１１４を有してよい。ＳＴＢまたはＰＶＲ１１４は、サービスオペレータ１００からのデータ流を含むテレビサービスを、アンテナ、衛星放送受信アンテナ、またはケーブルソケット１１６を介して受理して、テレビ１１２に伝える。テレビ１１２は、単数または複数のテレビ利用者１１８に、画面１１３を通して表示を行う。テレビ利用者１１８は、画面１１３に表示された指示に従ってＳＭＳテキストメッセージを作成し、これをサービスオペレータ１００の宛先番号に伝送することにより、サービスオペレータ１００と交信する。
【００１９】
テレビ受信機１０９には、いくつかの実施形態があり得る。すなわち、ＳＴＢまたはＰＶＲ１１４の機能性の全部または一部は、テレビ１１２及び／または表示画面１１３と一体化されてよい。また、ＳＴＢまたはＰＶＲ１１４の機能性は、パーソナルコンピュータ（ＰＣ）によって実行され、テレビの表示画面１１３の機能は表示モニタによって実行されてもよい。また、アンテナ１１６、ＳＴＢ１１４、テレビ１１２、リモコン１１７、及び画面１１３の機能性は、１つの携帯端末と一体化されてもよい。この携帯端末としては、例えば、コードレス電話、携帯電話、ＰＣネットワーク、メディアプレイヤー、映像ジュークボックス、パームトップコンピュータ、または個人情報機器（ＰＤＡ：personal digital assistant）が挙げられる。
【００２０】
図３は、テレビ受信機１０９を操作するリモコン１１７を表している。リモコン１１７は、好ましくは無線によりテレビ受信機１０９に指示を送る。リモコン１１７は、赤外線送信機１２９を用いてテレビ受信機１０９に指示を送る。テレビ受信機１０９は、利用者が押したキーに従って対応する。このようなキーには、テレビ受信機電源の入／切トグルボタン１２７、音量の高／低ボタン１２５、チャンネルの上／下ボタン１２６、赤／緑／黄／青ファステキスト・キー１２４、上／下／左／右カーソルキー１２０、ＯＫ／選択キー１２１、多重打鍵式のアルファベット文字が付された０〜９番号キー１２３、利用者インターフェース（user interface：利用者とテレビ受信機との間の境界部分。テレビ受信機の入力手段、出力手段、テレビ受信機の操作に係る規約など）の選択事項から戻るための「戻る」キー３２７、及び、テレビ受信機のサービスガイドが表示されるようにするための「サービス」キー１２８が含まれる。リモコン１１７は、テレビ用リモコンに対応してキーに適切に標識が付された形態であってもよい。このような実施形態は、例えば、携帯電話、コードレス電話、標準的な「ＱＷＥＲＴＹ」キーボード、個人情報機器（ＰＤＡ）、または、画面の一部がテレビ用の指示キーに対応して標識が付されたタッチ式携帯型表示装置を用いることによって実現され得る。
【００２１】
図４は、デジタル映像放送を受理し解読するように設計された典型的なＳＴＢ１１４の内部機能要素を示す。ＳＴＢ１１４は、揮発性ＤＲＡＭ１４６及び内部の不揮発性（フラッシュ）メモリ１５２と連結したＣＰＵ３０３を有する。揮発性ＤＲＡＭ１４６及び不揮発性メモリ１５２は、テレビ受信機と一体化され、テレビ受信機から取り外すことはできない。ＣＰＵと他のブロックとの間の通信は、１または２以上の内部データバス３１１を介して行われる。ＣＰＵは、赤外線受信機３１２により、リモコン１１７から利用者の指示を受理する。ＳＴＢが待機状態になったら、実時間時計（ＲＴＣ：real time clock）または秒読みタイマー３０８により、ＳＴＢの各部分の電源を入れる時期が制御される。好ましい実施形態では、ＳＴＢが複数のダウンロードの間で待機状態にある時、ＣＰＵ及びメモリは、低電力状態で稼働する。この時、他のブロックの電源は、実時間時計３０８、赤外線受信機３１２、及びプログラム可能な電源３１０を除き、完全に切断される。プログラム可能な電源は、ＣＰＵにより制御され、１または２以上の他のブロックの電源を入れたり切ったりする。この電源のオン・オフは、ＳＴＢが活動状態になる必要があるか、待機状態になる必要があるか、またはダウンロード状態になる必要があるかに応じて行われる。ＳＴＢは、個人用映像録画機（ＰＶＲ）の特性を有してよい。また、ＳＴＢは、ＡＴＡＰＩまたはＳＣＳＩハードディスク・インターフェースを介して接続された、大容量記憶装置３０４を含んでよい。
【００２２】
ＳＴＢは、プログラム可能なチューナ３００を有する。チューナ３００は、アンテナ１１６を介して地上波デジタル映像放送を受信する。チューナ３００は、地上波放送に加え、または地上波放送の代わりに、ケーブル放送や衛星放送を受信してもよい。プログラムチューナ３００及び多重分離装置３０１は、アンテナ１１６に存在するＭＰＥＧ２の輸送データ流（チャンネル）を受理し解読する。このデータ流には、サービスオペレータ１００の送信内容（チャンネル）が含まれる。周波数が同調された輸送データ流は、多重分離装置３０１に入力され、ここで基本要素である音声、映像、及びデータ流が抽出され得る。映像データ流は、ＭＰＥＧ−２及び／またはＭＰＥＧ−４映像解読機３０２に入力される。その後、この解読機からの出力は、画面表示機能（on screen display）３０５と結合され、テレビ１１２に映像信号が送られる。画面表示機能は、入力情報に係る全ての画像出力を画面１１３に表示する役割を担う。映像混合・縮尺機能により、解読機の映像の縮尺を変更することができる。これにより、テレビ画面１１３上の任意の場所に、縮小した生の映像を表示することができる。
【００２３】
図５は、テレビ受信機１０９の好ましい実施形態に記憶された、プログラムアプリケーションソフトウェア、データ、サービスコンテンツ、及び設定の構造を表している。基盤（platform）管理アプリケーション２９７は、他の全てのアプリケーション２９３のダウンロードを制御する。好ましい実施形態では、放送施設１１０を通って流れてくる対象データを含むサービスオペレータ・データは、基盤管理アプリケーションによって周期的に読み込まれ、揮発性メモリ１４６に送られる。揮発性メモリ１４６は、ファイルシステム方式でこれらデータを記憶する。各対象データは、数字からなる識別子を有する。基盤管理アプリケーション２９７は、不揮発性メモリ１５２に記憶されている設定データ２９８を調べ、どの対象データがダウンロードされるべきかを決定する。設定データ２９８は、各テレビ受信機に固有の３２ビットのテレビ受信機アドレス２９９、及び、テレビ受信機の製造者の１バイト識別子４３２を含む。対象データがダウンロードされたら、基盤管理アプリケーションは、これら対象データを認証し解読する。そして、基盤管理アプリケーションは、テレビ受信機の動作に必要となるアプリケーション２９３及びデータ・コンテンツ・設定２９２の揮発性メモリ１４６に、完全なファイルシステムを構築する。
【００２４】
アプリケーション２９３には、ＩＰＧ２８４（テレビ番組ガイド）も含まれる。ＩＰＧ２８４は、利用者がサービスガイド画面中の「テレビガイド」を選択することにより実行される。また、アプリケーション２９３には、拡張マークアップ言語（ＸＬＭ）ブラウザ２８７も含まれる。ＸＭＬブラウザ２８７は、マークアップコンテンツ２８２、例えば、サービスガイド上の「テレビ雑誌」、「ニュース」、及び「天気」を選択した場合のコンテンツを表示するために用いられる。また、アプリケーション２９３には、音声映像解読機２８６も含まれる。音声映像解読機２８６は、テレビ番組、映画、及び録画映像の一部を再上映するために用いられる。また、アプリケーションには、ゲーム２９５も含まれる。ゲーム２９５は、サービスガイド上の「ゲーム」を選択することにより得られたメニューから実行される。
【００２５】
アプリケーション２９３は、全て、共通のアプリケーション・プログラミング・インターフェース（ＡＰＩ）２９１を介して、オペレーティング・システム（ＯＳ）２８８、コードライブラリ２８９、画像及びデータ通信ドライバ２９０、並びに他の構成要素と交信する。各アプリケーション２９３は、当該アプリケーションが実行し得るデータ・コンテンツ・設定２９２と関連付けられてもよい。好ましくは、全てのアプリケーションは、Ｊａｖａ（登録商標）または他の形態の仮想機械２９４を用いて動作するような構成にしてもよい。
【００２６】
図６は、不揮発性メモリ１５２におけるメモリの割当てを表している。単語検索表４３０は、１〜３の文字単語と最大２５６バイトの値とを対応させる。例えば、次のように対応させる。
【表２】
2009521159.tif 000004
また、テレビ受信機は、利用者ごとに不揮発性メモリ１５２に登録された１または２以上の携帯電話の表４３１を保存する。例えば、次のような表である。
【表３】
2009521159.tif 000005
ここで、各携帯電話番号は、連結数及び利用者名と関連付けられる。本発明により、利用者は、テレビ受信機に搭載された、あるいはテレビ受信機に接続した通信機器を用いることなく、テレビ受信機を介して双方向サービスに係る注文を行うことが可能となる。本発明はさらに、テレビ受信機がサービスオペレータからの受給資格を受理して、画面を通して利用者にサービスを提供する方法を提供する。利用者からの注文としては、１つのゲームがしたいという注文や、１つのゲームの一部あるいは一連のゲームがしたいという注文であってよい。あるいは、商品に係る注文や、ゲーム等のサービスの申込みや、ゲーム、テレビ雑誌、ニュース、及び雑談等の様々なサービスの申込みをしたいという注文であってよい。
【００２７】
図７は、利用者がテレビ全画面３９９を観ている時のテレビ受信機の画面を表している。利用者は、リモコン１１７のサービスキー１２８を押すことにより、図８に示したように、テレビ受信機にサービスガイド４１４を表示させることができる。サービスガイドは、３×３の格子状のセル４００を表示する。セルの１つ４０１（いわゆる「照準セル」）は、他のセルと区別し得る態様で強調表示される。これは、利用者がリモコンのＯＫキー１２１を押すと当該サービスが選択されるということを示している。各セル４００は、異なるサービスに対応しており、各セル４００には、それぞれのサービス名及び番号４１５が表示されている。利用者は、照準を動かすことができる。すなわち、所望の方向に対応した矢印キー１２０を押すことにより、強調表示される照準セル４０１を他のセル４００に動かすことができる。例えば、「テレビガイド」に照準が合っている時に左矢印キー１２０を押すと、「スポーツ」に照準が合うことになる。テレビ全画面３９９から入ると、中央セル４０１に照準が合った状態になる。サービスガイドには、画像４０７が表示される。画像４０７は、サービスガイドが呼び出される直前にテレビ全画面３９９に表示されていたテレビチャンネルに対応した画像である。一般家庭において、複数の利用者１１８は、テレビ受信機を共有して使用することができる。テレビ受信機は、不揮発性メモリ１５２に、個々の利用者の選好及びアプリケーション設定を記憶する。
【００２８】
図９及び図１０は、利用者が個々の好みに応じてサービスを利用したり注文したりする方法を示している。まず、利用者は、利用者名が表示された複数の着色セル４３６及び４３７の中から１つのセル４３６を選択することにより、テレビ受信機において自身を特定する［１−１］。利用者は、「設定」機能に対応したセル４００のキー「９」を選択することにより、特定のサービスの申込みを行うことができる。キー「９」を押すと、図１１に表したように、申込み可能なサービスのメニュー４２０が表示される。このように、設定メニューにより、選択可能な多くの設定機能の操作が容易になる。各機能は、セル４２１によって表示される。セル４２１の色は、リモコン１１７上の同じ色のファステキスト・キーに対応している。枠（わく）４０６には、照準セルに関する利用者への指示４０５が表示され、これにより、利用者は容易に設定を行うことができる。初期設定では、「申込み」設定セル４２２が既に選択されており、各サービスの申込みに対応したセル４２３が上下に表示されている。
【００２９】
図１１に示したように、セルの１つは、照準セル４２４となっている。利用者は、所望のサービスの番号に対応したリモコン上の番号キー１２３を押すことにより、または、上下矢印キー１２０を用いて照準を所望のセルまで動かしてＯＫキー１２１を押すことにより、セル４２３から申し込みたいサービス商品を選択することができる［１−２］。サービスが選択されたら、テレビ受信機は１または２以上の携帯電話番号４３３、あるいはその代わりに携帯電話の所有者名（図示せず）を表示する。そして、テレビ受信機は、利用者に対し、注文が既存の携帯電話番号４３３（または所有者名）を用いてなされるのか、あるいは、別の携帯電話番号４３４を用いてなされるのか、について確認を求める［１−３］。後者の場合、図１２に示したように、テレビ受信機は、利用者に対し、新しい携帯電話番号を入力待機セル４３４に入力するよう促す。入力が完了したら、図１３に示したように、セル４３４は新しい携帯電話番号を表示する。
【００３０】
受給資格の通知が返送されるようにするために、利用者は、サービスオペレータにテレビ受信機のアドレスを伝える必要がある。このため、テレビ受信機は、保有する携帯電話表４３１で携帯電話番号を検索する。既存の携帯電話番号が使用されるのであれば［１−４］、テレビ受信機は、関係する連結数を［１−６］、注文された商品やサービスの識別子を含む注文コードと連結する［１−７］。前述した実施形態では、１つの十六進法の数字が連結数に割り当てられ、１つの十六進法の数字が商品識別子に割り当てられる（すなわち、最大で１６の異なる商品を特定し得る）。この結果、テレビ受信機は、１つの１バイト注文コード０ｘｃｐ（ｃ及びｐは、ともに半バイト（ニブル）で表される）を作成する。例えば、図１４で「０７２７  ８２８１４２」の携帯電話番号を使用する場合、「Ｄａｄ’ｓ」の連結数が０ｘ１で、「スポーツ」サービスの商品識別子が「０ｘ３」であるなら、注文コードは０ｘ１３となる。
【００３１】
利用者が新しい携帯電話番号を入力することにより新しい携帯電話番号が使用される場合［１−４］、連結数は予備のコード０ｘＦに変更される。このコードは、当該電話番号が未知のものであることを示している［１−５］。そして、さらに、この連結数は製造者識別子Ｍ及びテレビ受信機アドレスＡと連結される［１−９］。ここで、Ａの数値の前に付いている十六進数で表されたゼロは消去される。連結された数字は、０ｘｃｐｍｍａａ［ａａａａａａ］と表される。Ｍ及びＡは、それぞれニブルによるｍ及びａで表される。前述した例において、スポーツサービスを注文する際に新しい携帯電話が用いられ、０ｘ３Ａが製造者識別子、０ｘ００１３ＦＦＡ１がテレビ受信機アドレスである場合、注文コードは５バイトの数字列０ｘＦ３３Ａ１３ＦＦＡ１となる。その後、テレビ受信機は、注文コード数字列の各バイトを単語検索表中の対応する単語に置き換えて、スペースで区切られた単語列４３６を形成することにより、注文コードを暗号化する。例えば、前述した例では、単語列は「ＣＡＴ  ＡＴ」４３６となる。その後、テレビ受信機には、利用者に対し、この単語列をＳＭＳテキストメッセージで宛先番号４４１に伝送するよう指示する表示がなされる［１−１０］。テレビ受信機は、同時に、映像４０７を凍結するか空白にし、音声を消し、サービスオペレータから放送される対象データを受理するようにチューナ３００及び多重分離装置をプログラムする［１−１１］。
【００３２】
ＳＭＳテキストメッセージは、電話網１０８を通り、ＳＭＳゲートウェイ１３８で受理される。そして、ＳＭＳテキストメッセージの構成要素、通知文４００、宛先番号４４１、及び利用者の携帯電話１１１の発信元電話番号が、即座に注文解読器１３４に送られる。通知文４３６の各単語は、電話解読機に記憶された単語検索表で検索され、対応するバイト値に変換される。この結果、注文コードはバイト列の形に復元される［１−１２］。連結数Ｃが受理されたら（すなわち、Ｃの値が０ｘＦでないなら）、電話解読機は、内包する携帯電話表で検索を行い、発信元電話番号及び連結数に対応するテレビ受信機アドレスを探し出す。一方、Ｃが受理されなかったら（すなわち、Ｃ＝０ｘＦなら）、電話解読機は、内包する電話番号表に記録を行う。この記録は、携帯電話番号の欄に発信元電話番号を記入し、製造者識別子の欄に注文コードに含まれるｍｍを記入し、テレビ受信機アドレスの欄に注文コードに含まれるＡＡＡＡＡＡＡＡを記入することにより行われる。
【００３３】
次に、電話解読機は、携帯電話表を参照し、新しい連結数Ｃを決定する。この連結数Ｃは、同じ携帯電話番号を含む全ての記録を通じて固有のものであり、好ましくは、それ以前に保存された最も高い連結数に１を足すことにより決定される。発信元電話番号と合致する記録が見出されない場合、連結数０が用いられる。発信元電話番号が図１３で入力された新しい携帯電話４３４によるものであり、この発信元電話番号がそれ以前にサービスオペレータに登録されていなかった場合、電話解読機の携帯電話表に追加された新しい記録は、次のようになる。
【表４】
2009521159.tif 000006
その後、電話解読機は、商品コードｐの有効性を確認する。もし有効であるなら、サービスオペレータ１００は、テレビ受信機アドレスＡＡＡＡＡＡＡＡを用いて通知内容を放送する。これにより、そのテレビ受信機には商品ｐの受給資格が与えられる［１−１３］。連結数が（不明のため）注文コードに含まれていなかった場合、連結数Ｃも通知内容に含められる。
【００３４】
受給資格の通知は、データサービス放送局１０１及び多重放送局１０６によって放送される。通知は、固有のアドレスＡＡＡＡＡＡＡＡを有するテレビ受信機によりフィルターにかけられ、ダウンロードされる［１−１４］。ここで、テレビ受信機は、通知を受理した旨を画面に表示し、それ以前に視聴されていたチャンネルに再度周波数を合わせ［１−１５］、商品Ｐを得るために受給資格を解読する［１−１６］。連結数Ｃが通知に含まれている場合［１−１７］、テレビ受信機は、サービスオペレータから送られてきた携帯電話番号及び連結数を用いて、携帯電話登録表４３１に新しい記録を作成し保存する［１−１８］。最後に、利用者は、例えば図８で「スポーツ」セルを選択するなどにより、サービス商品を利用する［１−１９］。
【００３５】
図１５は、注文の流れに係る他の方法を示している。この方法では、テレビ受信機において利用者の携帯電話を特定する段階［１−３］が省略されている。また、テレビ受信機アドレスＡを完全な形でサービスオペレータに伝送するのでなく、テレビ受信機によって作成され注文過程終了後に廃棄される、短い「仮」アドレスＡｔが用いられる。仮アドレスは、唯一無二のものではない。このため、時期が異なれば、異なるテレビ受信機によって異なる注文に対し同じアドレスが作成されることがある。この方法は、前述した方法に比べ、最初の注文に係る利用者注文コードが短いという利点を有する。図１６に、この場合のデータ交換の概要を示す。
【００３６】
前述と同様に、利用者は画面メニューを用いて商品を選択する［２−１］。その後、テレビ受信機は、アドレスＡｔに係る擬似乱数を作成する［２−２］。Ａｔは、テレビ受信機アドレスよりかなり短く、一般に１２ビット（３ニブル）である。前述と同様に、この場合、テレビ受信機は、商品識別子、製造者識別子、及びテレビ受信機の仮アドレスを連結することにより注文コード０ｘｐｍｍａｔａｔａｔ（Ａｔは、ニブルによりａｔとして表される）を作成する［２−３］。その後、テレビ受信機は、注文コードを単語列に暗号化する。この時、注文コード内のバイトを、スペースで区切られた、単語表４３０内の対応するバイトに置き換えるという前述した方法が用いられる［２−４］。そして、テレビ受信機は、前述した図１４の４３５に示したように、同様の画面様式で注文コードを表示する。前述と同様に、その後利用者は注文コードをＳＭＳゲートウェイ１３８に送る。テレビ受信機は、サービスオペレータ・データ流に周波数を合わせ、仮アドレスに宛てられた通知内容を捕捉するようにデータ流をフィルターにかける［２−５］。サービスオペレータは、保有する単語表のコピーを用いて単語をバイトに置き換えることにより、注文コードを解読し、商品コードｐが有効であることを確認する［２−６］。その後、サービスオペレータは、仮アドレスに係るテレビ受信機宛てに受給資格を放送する［２−７］。その後、テレビ受信機は、受給資格をダウンロードし［２−８］、それ以前に視聴されていたチャンネルに再度周波数を合わせ［２−９］、受給資格を解読する［２−１０］。これにより、商品が使用可能となる［２−１１］。
【００３７】
当業者は、開示された上記実施形態は変形可能であることに想到するであろう。例えば、図４で示した機能的構成要素の多くは、STMicroelectronics' STi５１００チップセット等の、１つの大規模集積回路（ＬＳＩ）シリコン部品上で連結してもよい。また、これら構成要素は、テレビ外部のセットトップボックスに含めることができる。あるいは、デジタルテレビ受信機の場合、図４の全ての機能は、テレビ本体内部に配置してもよい。また、注文コードは、図１７に示したようにバーコード４４０等の画像として暗号化され表示されてよい。この画像は、カメラ機能を有する携帯電話によって写真に撮られ、予め携帯電話にダウンロードしたＪａｖａアプリケーションにより解読されて、注文コード文が復元される。あるいは、画像は全て携帯電話によって送られ、電話解読機によって電話解読されてもよい。また、携帯電話番号は、インターネット上の音声（ＶｏＩＰ）電話網におけるインターネットアドレスとして表されてもよい。さらに、サービスオペレータ及びテレビ受信機は、インターネット等の双方向ネットワークを介して接続されてもよい。この場合、テレビ受信機アドレスもインターネットアドレスであってよい。このように、上述した実施形態は例であって、本発明を限定するものではない。当業者にとっては、上述した実施形態に小さな変更を加え得ることは明らかであると推察される。
【図１】
2009521159.tif 000007
【図２】
2009521159.tif 000008
【図３】
2009521159.tif 000009
【図４】
2009521159.tif 000010
【図５】
2009521159.tif 000011
【図６】
2009521159.tif 000012
【図７】
2009521159.tif 000013
【図８】
2009521159.tif 000014
【図９】
2009521159.tif 000015
【図１０】
2009521159.tif 000016
【図１１】
2009521159.tif 000017
【図１２】
2009521159.tif 000018
【図１３】
2009521159.tif 000019
【図１４】
2009521159.tif 000020
【図１５】
2009521159.tif 000021
【図１６】
2009521159.tif 000022
【図１７】
2009521159.tif 000023
【国際調査報告】
2009521159.tif 000024
2009521159.tif 000025
2009521159.tif 000026